(57)【要約】    【課題】      試験対象の通信端末装置の受信性能を試験することができるとともに、当該通信端末装置に選択合成機能が実装されているか否かを判断すること。    【解決手段】  送信制御部１０３は、選択部１０４に対して、出力する拡散コードの切り替えタイミングを指示する。選択部１０４は、送信制御部１０３の指示に従って第１コード生成部１０１にて生成された第１の拡散コードあるいは第２コード生成部１０２にて生成された第２の拡散コードのいずれかを選択する。拡散部１０６は、送信パケット生成部１０５から出力されたパケットに選択部１０４から出力された拡散コードを乗算し、出力する。測定部１５１は、通信端末装置２００からパケットを正しく復号できたか否かの報告を受け、パケット誤り率を計算し、計算結果を出力する。  【選択図】      図１
2005354359.tif 000002
【特許請求の範囲】
【請求項１】
拡散後のパケットを通信端末装置に送信し、前記通信端末装置の受信パケットの誤り率により前記通信端末装置の受信性能を試験する試験装置であって、
複数種類の拡散コードを生成する拡散コード生成手段と、
パケットを生成する送信パケット生成手段と、
前記拡散コードの切り替えタイミングを制御する送信制御手段と、
前記送信制御手段の制御に基づいて前記拡散コード生成手段にて生成された拡散コードのいずれかを選択する選択手段と、
前記送信パケット生成手段にて生成されたパケットに前記選択手段にて選択された拡散コードを乗算する拡散手段と、を具備することを特徴とする試験装置。
【請求項２】
拡散後のパケットを通信端末装置に送信し、前記通信端末装置の受信パケットの誤り率により前記通信端末装置の受信性能を試験する試験装置であって、
複数種類の拡散コードを生成する拡散コード生成手段と、
パケットを生成して複数のパケット系列を構成する送信パケット生成手段と、
前記パケット系列毎に拡散コードが異なるように、前記送信パケット生成手段にて生成されたパケットに前記拡散コードを乗算する拡散手段と、を具備することを特徴とする試験装置。
【請求項３】
拡散後のパケットを通信端末装置に送信し、前記通信端末装置の受信パケットの誤り率により前記通信端末装置の受信性能を試験する試験方法であって、
複数種類の拡散コードを生成する拡散コード生成工程と、
パケットを生成する送信パケット生成工程と、
前記拡散コードの切り替えタイミングを制御する送信制御工程と、
前記送信制御工程の制御に基づいて前記拡散コード生成工程にて生成された拡散コードのいずれかを選択する選択工程と、
前記送信パケット生成工程にて生成されたパケットに前記選択工程にて選択された拡散コードを乗算する拡散工程と、を具備することを特徴とする試験方法。
【請求項４】
拡散後のパケットを通信端末装置に送信し、前記通信端末装置の受信パケットの誤り率により前記通信端末装置の受信性能を試験する試験方法であって、
複数種類の拡散コードを生成する拡散コード生成工程と、
パケットを生成して複数のパケット系列を構成する送信パケット生成工程と、
前記パケット系列毎に拡散コードが異なるように、前記送信パケット生成工程にて生成されたパケットに前記拡散コードを乗算する拡散工程と、を具備することを特徴とする試験方法。
【発明の詳細な説明】
【技術分野】
【０００１】
本発明は、無線通信システムに使用される通信端末装置の受信性能を試験する試験装置および試験方法に関する。
【背景技術】
【０００２】
３ＧＰＰ（3rd Generation Partnership Project）のRelease 6 では、通信端末装置において、異なる複数のセルの基地局装置から送信された同一の情報をセル毎に受信／復号し、正しく復号することができた情報だけを選択する選択合成機能（selective combining）が必須の機能として規定されている。
【０００３】
３ＧＰＰのＭＢＭＳ（Multimedia Broadcast Multicast Service）の仕様において検討されている選択合成機能は、２つのセルの基地局装置から同一の情報を載せたパケットを送信し、通信端末装置において、独立に受信／復号を行った後、正しく復号することができた方を選択することで、受信性能を改善する方式である。
【０００４】
選択合成機能を用いた場合、通信端末装置が、一方の基地局装置から受信したパケットを正しく復号できなかった場合であっても、他方の基地局装置から受信したパケットが正しく復号できる場合があるため、総じて誤り率を低減することができ、システムスループットの改善、基地局装置の送信電力の低減によりキャパシティ改善を図ることができる。なお、Release 6 では、選択合成機能を行わない場合に比べて、厳しい要求仕様の策定がなされるものと考えられる。具体的な効果を示す一例として、非特許文献１において選択合成機能を行った場合のリンクレベルシミュレーション結果の記載がある。
【０００５】
ところで、通信端末装置の受信性能改善方法の１つとして、複数の受信アンテナを配してマルチパスを合成する方法（受信ダイバーシチ）が知られている。この方法を用いた場合、１つのアンテナで受信する場合に比べて、受信性能が向上するため選択合成機能を行わなくても、１つの基地局装置からのパケットを受信するのみで、所望の要求仕様（スループット）を達成することができる可能性もある。
【０００６】
したがって、今後、通信端末装置の受信性能試験を行う場合、スループットの改善が選択合成機能によるものであるのか受信ダイバーシチによるものであるのかを識別する必要性が生じてくると考えられる。
【非特許文献１】R1-031103 (TSG-RAN Working Group 1 #32)
【発明の開示】
【発明が解決しようとする課題】
【０００７】
しかしながら、これまでのところ、試験対象の通信端末装置に選択合成機能が実装されているか否かを判断する機能を有する試験装置／試験方法が存在していない。
【０００８】
本発明はかかる点に鑑みてなされたものであり、試験対象の通信端末装置の受信性能を試験することができるとともに、当該通信端末装置に選択合成機能が実装されているか否かを判断することができる試験装置および試験方法を提供することを目的とする。
【課題を解決するための手段】
【０００９】
かかる課題を解決するため、本発明の試験装置は、拡散後のパケットを通信端末装置に送信し、前記通信端末装置の受信パケットの誤り率により前記通信端末装置の受信性能を試験する試験装置であって、複数種類の拡散コードを生成する拡散コード生成手段と、パケットを生成する送信パケット生成手段と、前記拡散コードの切り替えタイミングを制御する送信制御手段と、前記送信制御手段の制御に基づいて前記拡散コード生成手段にて生成された拡散コードのいずれかを選択する選択手段と、前記送信パケット生成手段にて生成されたパケットに前記選択手段にて選択された拡散コードを乗算する拡散手段と、を具備する構成を採る。
【００１０】
また、本発明の試験装置は、拡散後のパケットを通信端末装置に送信し、前記通信端末装置の受信パケットの誤り率により前記通信端末装置の受信性能を試験する試験装置であって、複数種類の拡散コードを生成する拡散コード生成手段と、パケットを生成して複数のパケット系列を構成する送信パケット生成手段と、前記パケット系列毎に拡散コードが異なるように、前記送信パケット生成手段にて生成されたパケットに前記拡散コードを乗算する拡散手段と、を具備する構成を採る。
【００１１】
また、本発明の試験方法は、拡散後のパケットを通信端末装置に送信し、前記通信端末装置の受信パケットの誤り率により前記通信端末装置の受信性能を試験する試験方法であって、複数種類の拡散コードを生成する拡散コード生成工程と、パケットを生成する送信パケット生成工程と、前記拡散コードの切り替えタイミングを制御する送信制御工程と、前記送信制御工程の制御に基づいて前記拡散コード生成工程にて生成された拡散コードのいずれかを選択する選択工程と、前記送信パケット生成工程にて生成されたパケットに前記選択工程にて選択された拡散コードを乗算する拡散工程と、を具備する方法を採る。
【００１２】
また、本発明の試験方法は、拡散後のパケットを通信端末装置に送信し、前記通信端末装置の受信パケットの誤り率により前記通信端末装置の受信性能を試験する試験方法であって、複数種類の拡散コードを生成する拡散コード生成工程と、パケットを生成して複数のパケット系列を構成する送信パケット生成工程と、前記パケット系列毎に拡散コードが異なるように、前記送信パケット生成工程にて生成されたパケットに前記拡散コードを乗算する拡散工程と、を具備する方法を採る。
【発明の効果】
【００１３】
本発明によれば、通信端末装置の受信性能を試験することができるとともに、通信端末装置に試験対象の通信端末装置に選択合成機能が実装されているか否かを判断することができる。
【発明を実施するための最良の形態】
【００１４】
以下、本発明の実施の形態について図面を参照して詳細に説明する。なお、以下の各実施の形態では、２つの基地局装置から互いに異なる拡散コードを乗算されたパケットが送信される状況での通信端末装置の受信性能を試験する場合について説明する。
【００１５】
（実施の形態１）
図１は、本発明の実施の形態１に係る試験装置の構成を示すブロック図である。試験装置１００は、拡散したパケットを試験対象である通信端末装置２００に出力し、通信端末装置２００においてパケットを正しく復号できたか否かの報告を受け、パケット誤り率を計算することにより通信端末装置２００の受信性能を試験する装置である。
【００１６】
以下、試験装置１００の各構成について説明する。試験装置１００は、第１コード生成部１０１と、第２コード生成部１０２と、送信制御部１０３と、選択部１０４と、送信パケット生成部１０５と、拡散部１０６と、フェージングシミュレータ１０７と、測定部１５１とから主に構成される。
【００１７】
第１コード生成部１０１は、第１の拡散コード（以下、「第１コード」という）を生成して選択部１０４に出力する。第２コード生成部１０２は、第２の拡散コード（以下、「第２コード」という）を生成して選択部１０４に出力する。なお、第１コードおよび第２コードは、試験開始前に予め与えられる。
【００１８】
送信制御部１０３は、選択部１０４に対して、出力する拡散コードの切り替えタイミングを指示する。選択部１０４は、送信制御部１０３の指示に従って第１コードあるいは第２コードのいずれかを選択し、選択した拡散コードを拡散部１０６に出力する。
【００１９】
送信パケット生成部１０５は、試験に使用する送信パケットを生成して拡散部１０６に出力する。拡散部１０６は、送信パケット生成部１０５から出力されたパケットに選択部１０４から出力された拡散コードを乗算することによりパケットを拡散し、拡散後のパケットをフェージングシミュレータ１０７に出力する。フェージングシミュレータ１０７は、実際の通信環境の時空間特性を模擬的に作り出し、拡散部１０６から出力されたパケットにマルチパスを付加して通信端末装置２００に出力する。
【００２０】
測定部１５１は、通信端末装置２００からパケットを正しく復号できたか否かの報告を受け、パケット誤り率を計算し、計算結果を出力する。なお、測定部１５１における出力方法として、表示画面に表示する、あるいは、記録紙に印字して出力する等が挙げられる。
【００２１】
次に、本実施の形態に係る試験方法について、具体例を用いて説明する。なお、試験装置１００および通信端末装置２００には、試験開始前に第１コードおよび第２コードが予め与えられる。また、試験開始前に試験装置１００と通信端末装置２００との間では同期が確立される。
【００２２】
まず、第１コードあるいは第２コードのいずれかで拡散されたパケットの系列が試験装置１００から送信される。なお、パケットに乗算される拡散コードは所定のタイミングで切り替えられ、本例では、図２に示すように、パケットＡ〜Ｄ、Ｉ〜Ｌには第１コードが乗算され、パケットＥ〜Ｈには第２コードが乗算されるものとする。
【００２３】
通信端末装置２００は、各パケットについて正しく復号できたか否かを判定し、判定結果を試験装置１００に報告する。ここで、通信端末装置２００は、選択合成機能を実装している場合には、第１コードおよび第２コードを用いて逆拡散処理を行い、各パケットについて、少なくとも一方の拡散コードにおいて正しく復号できた場合に正しく復号できたと判定し、いずれの拡散コードを用いても正しく復号できなかった場合に正しく復号できなかったと判定する。一方、通信端末装置２００は、選択合成機能を実装していない場合には、第１コードあるいは第２コードのいずれか一方を用いて逆拡散処理を行い、各パケットについて正しく復号できたか否かを判定する。
【００２４】
試験装置１００は、通信端末装置２００から受けた報告に基づきパケット誤り率を計算し、計算結果を出力する。
【００２５】
この結果、本例では、通信端末装置２００が選択合成機能を実装し、かつ、受信性能が良好なものである場合、全てのパケット（Ａ〜Ｌ）に渡って誤り率を測定した場合、所定の誤り率より低くなる。また、通信端末装置２００が選択合成機能を実装せず、かつ、受信性能が良好なものである場合、第１コードが乗算されたパケット（Ａ〜Ｄ、Ｉ〜Ｌ）あるいは第２コードが乗算されたパケット（Ｅ〜Ｈ）のいずれか一方のみしか受信することができないため、全てのパケット（Ａ〜Ｌ）に渡って誤り率を測定した場合、誤り率が所定の値より高くなり試験に合格することができない。また、通信端末装置２００の受信性能が良好なものでない場合、全てのパケット（Ａ〜Ｌ）に渡って誤り率が所定の値より高くなるため、試験に合格することができない。
【００２６】
このように、本実施の形態によれば、試験装置が、互いに異なる複数の拡散コードを切り替えてパケットに乗算して送信し、通信端末装置から受けた各パケットの復号結果の報告に基づいて誤り率を計算して出力するので、通信端末装置の受信性能を試験することができるとともに、通信端末装置に試験対象の通信端末装置に選択合成機能が実装されているか否かを判断することができる。
【００２７】
（実施の形態２）
図３は、本発明の実施の形態２に係る試験装置の構成を示すブロック図である。なお、図３に示す試験装置３００おいて、図１に示した試験装置１００と共通する構成部分には、図１と同一符号を付して説明を省略する。
【００２８】
図３に示す試験装置３００は、図１に示した試験装置１００と比較して、送信制御部１０３、選択部１０４、送信パケット生成部１０５を削除し、送信パケット生成部３０１を追加した構成を採る。また、図３に示す試験装置３００は、２つの拡散部１０６−１、１０６−２、２つのフェージングシミュレータ１０７−１、１０７−２を有する。
【００２９】
送信パケット生成部３０１は、試験に使用する送信パケットを生成して２つのパケット系列を構成し、一方のパケット系列を拡散部１０６−１に出力し、他方のパケット系列を拡散部１０６−２に出力する。
【００３０】
拡散部１０６−１は、送信パケット生成部３０１から出力されたパケットに第１コード生成部１０１から出力された第１コードを乗算することによりパケットを拡散し、拡散後のパケットをフェージングシミュレータ１０７−１に出力する。なお、送信パケット生成部３０１からパケットが出力されない場合には、拡散部１０６−１から信号は出力されない。拡散部１０６−２は、送信パケット生成部３０１から出力されたパケットに第２コード生成部１０２から出力された第２コードを乗算することによりパケットを拡散し、拡散後のパケットをフェージングシミュレータ１０７−２に出力する。なお、送信パケット生成部３０１からパケットが出力されない場合には、拡散部１０６−２から信号は出力されない。
【００３１】
フェージングシミュレータ１０７−１、１０７−２は、実際の通信環境の時空間特性を模擬的に作り出し、それぞれ拡散部１０６−１、１０６−２から出力されたパケットにマルチパスを付加する。フェージングシミュレータ１０７−１、１０７−２の出力信号は、コード多重されて通信端末装置２００に出力される。
【００３２】
次に、本実施の形態に係る試験方法について、具体例を用いて説明する。なお、試験装置３００および通信端末装置２００には、試験開始前に第１コードおよび第２コードが予め与えられる。また、試験開始前に試験装置３００と通信端末装置２００との間では同期が確立される。
【００３３】
まず、第１コードで拡散されたパケットの系列および第２コードで拡散されたパケットの系列が試験装置３００から送信される。なお、本例では、図４に示すように、パケットＡ〜Ｌに第１コードが乗算された系列とパケットＭ〜Ｘに第２コードが乗算された系列がそれぞれ送信されるものとする。
【００３４】
通信端末装置２００は、各パケットについて正しく復号できたか否かを判定し、判定結果を試験装置３００に報告する。ここで、通信端末装置２００は、選択合成機能を実装している場合には、第１コードおよび第２コードを用いて逆拡散処理を行い、各パケットについて、少なくとも一方の拡散コードにおいて正しく復号できた場合に正しく復号できたと判定し、いずれの拡散コードを用いても正しく復号できなかった場合に正しく復号できなかったと判定する。一方、通信端末装置２００は、選択合成機能を実装していない場合には、第１コードあるいは第２コードのいずれか一方を用いて逆拡散処理を行い、各パケットについて正しく復号できたか否かを判定する。
【００３５】
試験装置３００は、通信端末装置２００から受けた報告に基づきパケット誤り率を計算し、計算結果を出力する。
【００３６】
この結果、本例では、通信端末装置２００が選択合成機能を実装し、かつ、受信性能が良好なものである場合、全てのパケット（Ａ〜Ｘ）に渡って誤り率を測定した場合、が所定の誤り率より低くなる。また、通信端末装置２００が選択合成機能を実装せず、かつ、受信性能が良好なものである場合、第１コードが乗算されたパケット（Ａ〜Ｌ）あるいは第２コードが乗算されたパケット（Ｍ〜Ｘ）のいずれか一方のみしか受信することができないため、全てのパケット（Ａ〜Ｘ）に渡って誤り率を測定した場合、誤り率が所定の値より高くなり試験に合格することができない。また、通信端末装置２００の受信性能が良好なものでない場合、全てのパケット（Ａ〜Ｘ）に渡って誤り率が所定の値より高くなるため、試験に合格することができない。
【００３７】
なお、本実施の形態では、試験装置３００よりパケットが連続した２つのパケット系列を送信する場合について説明したが、本発明はこれに限られず、図５に示すように１つのパケット系列を２つに振り分けて送信しても良い。また、図６、図７に示すように一部のパケットを一方のパケット系列で送信し、他のパケットを双方のパケット系列から送信しても良い。また、本発明は、各パケット系列は互いに同期していなくても良い。
【００３８】
このように、本実施の形態によれば、試験装置が、互いに異なる拡散コードを乗算した複数のパケット系列を送信し、通信端末装置から受けた各パケットの復号結果の報告に基づいて誤り率を計算して出力するので、通信端末装置の受信性能を試験することができるとともに、通信端末装置に試験対象の通信端末装置に選択合成機能が実装されているか否かを判断することができる。
【００３９】
なお、上記各実施の形態では、フェージングシミュレータを試験装置内部に有する場合について説明したが、本発明はこれに限られずフェージングシミュレータを試験装置とは別の装置として構成しても良い。また、上記各実施の形態では、測定部を試験装置内部に有する場合について説明したが、本発明はこれに限られず測定部を試験装置とは別の装置として構成しても良い。
【００４０】
また、上記各実施の形態では、２種類の拡散コードを用いて試験する場合について説明したが、本発明は３種類以上の拡散コードを用いて試験する場合にも適用可能である。また、上記各実施の形態では、パケットを単位とする場合について説明したが、本発明はこれに限られず、ＴＴＩ、フレーム、サブフレーム等、複数のパケットを単位としても良い。
【産業上の利用可能性】
【００４１】
本発明は、無線通信システムに使用される通信端末装置の受信性能を試験する試験装置に用いるに好適である。
【図面の簡単な説明】
【００４２】
【図１】本発明の実施の形態１に係る試験装置の構成を示すブロック図
【図２】上記実施の形態に係る試験装置から送信されるパケット系列の一例を示す図
【図３】本発明の実施の形態２に係る試験装置の構成を示すブロック図
【図４】上記実施の形態に係る試験装置から送信されるパケット系列の一例を示す図
【図５】上記実施の形態に係る試験装置から送信されるパケット系列の一例を示す図
【図６】上記実施の形態に係る試験装置から送信されるパケット系列の一例を示す図
【図７】上記実施の形態に係る試験装置から送信されるパケット系列の一例を示す図
【符号の説明】
【００４３】
１００、３００  試験装置
１０１  第１コード生成部
１０２  第２コード生成部
１０３  送信制御部
１０４  選択部
１０５、３０１  送信パケット生成部
１０６  拡散部
１０７  フェージングシミュレータ
２００  通信端末装置
【図１】
2005354359.tif 000003
【図２】
2005354359.tif 000004
【図３】
2005354359.tif 000005
【図４】
2005354359.tif 000006
【図５】
2005354359.tif 000007
【図６】
2005354359.tif 000008
【図７】
2005354359.tif 000009